(57)【要約】【課題】コ字形に折り曲げられたワークの対向片の各々の対向面に溶接ナットを溶接する場合、一方対向片の対向面に溶接ナットを溶接できれば他方対向片の対向面にも溶接ナットを溶接できる抵抗溶接用電極装置を提供すること。【解決手段】上部電極１の下部に一方の側方が開口した切欠き部１ａを形成するとともに、この切欠き部１ａの下部水平片１ｂの上部に、上部の切欠き部１ａ側が開口した、ワーク５に溶接された溶接ナット２が挿入される挿入溝１ｃを形成した。また前記溶接ナット２が挿入される挿入溝１ｃは、前記切欠き部１ａの開口と同方向の側方に開口したもの【選択図】図３
2019181555.tif 000002
【特許請求の範囲】
【請求項１】
上部電極とガイドピンを備えた下部電極とからなる抵抗溶接用電極装置において、上部電極の下部に一方の側方が開口した切欠き部を形成するとともに、この切欠き部の下部水平片の上部に、上部の切欠き部側が開口し、ワークに溶接された溶接ナットが挿入される挿入溝を形成したことを特徴とする抵抗溶接用電極装置。
【請求項２】
前記挿入溝は、前記切欠き部の開口と同方向の側方に開口したことを特徴とした請求項１記載の抵抗溶接用電極装置。
【発明の詳細な説明】
【技術分野】
【０００１】  本発明は、ワークに溶接ナットを溶接するための抵抗溶接用電極装置に関するものである。
【背景技術】
【０００２】  従来この種の電極装置として、特許文献１に示すように、ガイドピンを備えた下部電極に、ガイドピンにてワークと溶接ナットを保持し、上部電極を下降してワークに溶接ナットを溶接するものがあるが、このようなものでは、略コ字形に折り曲げられたワークの対向片の対向面の各々に溶接ナットを溶接する場合、図６に示すように、上部電極５１の下方に一方の側方を開口した四角形の切欠き部５１ａを形成し、略コ字形に折り曲げられたワーク５２の一方対向片５２ａの対向面に溶接ナット５３を溶接したのち、下部電極５４にガイドピン５５によってワーク５２の他方対向片５２ｂと溶接ナット５３を嵌め込むとともに、溶接ナット５３を溶接した一方対向片５１ａを上部電極５１の切欠き部５１ａに挿入して下部電極５４にワーク５２と溶接ナット５３を保持し、上部電極５１を下降して、ワーク５２の他方対向片５１ｂの対向面に溶接ナット５３を溶接していた。
【先行技術文献】
【特許文献】
【０００３】
【特許文献１】実登３０４６３６２号公報
【発明の概要】
【発明が解決しようとする課題】
【０００４】  前記のものでは、一方対向片５２ａの対向面に溶接ナット５３を溶接できても、他方対向片５２ｂの対向面に溶接ナット５３を溶接する場合、対向片５２ａ，５２ｂ間の間隔が狭いと、一方対向片５２ａの対向面に溶接した溶接ナット５３が上部電極５１に当たり、上部電極５１切欠き部５１ａに挿入できず、ワーク５２の他方対向片５２ｂの対向面に溶接ナット５３を溶接することができないという問題があった。【０００５】  本発明は、前記の問題を解決し、コ字形に折り曲げられたワークの対向片の対向面の各々に溶接ナットを溶接する場合、一方対向片の対向面に溶接ナットを溶接できれば、他方対向片の対向面にも溶接ナットを溶接することができる抵抗溶接用電極装置を提供することを目的になされたものである。
【課題を解決するための手段】
【０００６】  上記課題を解決するためになされた本発明の抵抗溶接用電極装置は、上部電極とガイドピンを備えた下部電極とからなる抵抗溶接用電極装置において、上部電極の下部に一方の側方が開口した切欠き部を形成するとともに、この切欠き部の下部水平片の上部に、上部の切欠き部側が開口し、ワークに溶接された溶接ナットが挿入される挿入溝を形成したことを特徴とするものである。【０００７】  前記挿入溝は、前記切欠き部の開口と同方向の側方に開口したものであることが好ましく、これを請求項２に係る発明とする。
【発明の効果】
【０００８】  請求項１の発明では、上部電極の下部に一方の側方が開口した切欠き部を形成するとともに、この切欠き部の下部水平片の上部に、上部の切欠き部側が開口し、ワークに溶接された溶接ナットが挿入される挿入溝を形成したので、コ字形に折り曲げられたワークの対向片の各々の対向面に溶接ナットを溶接する場合、一方対向片の対向面に溶接ナットを溶接できれば他方対向片の対向面にも溶接ナットを溶接できる。【０００９】  請求項２の発明では、前記挿入溝は、前記切欠き部の開口と同方向の側方に開口したものであるので、ワークと溶接ナットの保持が容易にできる。
【図面の簡単な説明】
【００１０】
【図１】本発明の実施の形態におけて、ワークの一方対向片と溶接ナットをセットした状態を示す一部切欠き正面図である。
【図２】図１の溶接時の状態を示す一部切欠き正面図である。
【図３】本発明の実施の形態におけて、ワークの他方対向片と溶接ナットをセットした状態を示す一部切欠き正面図である。
【図４】図３の溶接時の状態を示す一部切欠き正面図である。
【図５】図１の上部電極の切欠き平面図である。
【図６】従来例の一部切欠き正面図である。
【発明を実施するための形態】
【００１１】  以下、本発明の好ましい実施の形態について図１乃至図５に基づいて説明する。
【００１２】  １は、下部に一方の側方である左側が開口した四角形の切欠き部１ａを形成した上部電極であり、上部電極１の切欠き部１ａを形成する下部水平片１ｂの上面には、左側と上面が開口した溶接ナット２の挿入溝１ｃが形成されている。即ち、挿入溝１ｃは切欠き部１ａの開口と同方向と、切欠き部１ａ方向に開口している。
【００１３】  ３は下部電極であり、下部電極３の上面略中央には、ガイドピン４が突出している。
【００１４】  ５は略コ字形に折り曲げられたワークであり、ワーク５の両端の対向片５ａ、５ｂの略中央には対向片５ａ、５ｂに溶接される溶接ナット２に螺合されるボルト（図示しない。）の軸部が挿通する挿通穴５ｃ、５ｄが形成されている。
【００１５】  次に、ワーク５の対向片５ａ、５ｂの対向面に溶接ナット２を溶接する方法を説明すると、図１に示すように、ワーク５の一方対向片５ａの挿通穴５ｃと溶接ナット２のねじ穴２ａを下部電極３のガイドピン４に嵌め込むとともにワーク５の他方対向片５ｃを上部電極１の切欠き部１ａに開口より挿入し、ワーク５と溶接ナット２を下部電極３に保持させる。
【００１６】  さらに、図２に示すように、上部電極１を下降し、上部電極１を溶接ナット２に接触押圧させ、溶接電流を上部電極１、溶接ナット２、ワーク５、及び下部電極３に流し、ワーク５の一方対向片５ａの対向面に溶接ナット２を溶接する。
【００１７】  この後、ワーク５を電極装置から外し、１８０°回転して、図３に示すようにワーク５の他方対向片５ｂの挿通穴５ｄと溶接ナット２のねじ穴２ｂを下部電極３のガイドピン４に嵌め込むとともに、溶接ナット２を溶接したワーク５の一方対向片５ａを上部電極１の切欠き部１ａに開口より挿入し、ワーク５と溶接ナット２を下部電極３に保持させる、このとき、上部電極１の切欠き部１ａを形成する下部水平片１ｂの上面には、切欠き部１ａの開口と同方向と、切欠き部１ａ方向に開口した挿入溝１ｄが形成されているため、一方対向片５ａに溶接された溶接ナット２は挿入溝１ｄに挿入されるので、一方対向片５ａに溶接ナット２を溶接できるワーク５であれば、下部電極３にワーク５の他方対向片５ｂと溶接ナット２を保持でき、ワーク５の他方対向片５ｂの対向面にも溶接ナット２を溶接できる。
【００１８】  さらに、図４に示すように、上部電極１を下降し、上部電極１を溶接ナット２に接触押圧させ溶接電流を上部電極１、溶接ナット２、ワーク５、及び下部電極３に流し、ワーク５の一方対向片５ａの対向面に溶接ナット２を溶接する。
【００１９】  以上のように、上部電極１の下部に一方の側方が開口した切欠き部１ａを形成するとともに、この切欠き部１ａの下部水平片１ｂの上部に、上部の切欠き部１ａ側が開口し、ワーク５に溶接された溶接ナット２が挿入される挿入溝１ｃを形成したので、コ字形に折り曲げられたワーク５の対向片５ａ、５ｂの各々の対向面に溶接ナット２を溶接する場合、一方対向片５ａの対向面に溶接ナット２を溶接できれば他方対向片５ｂの対向面にも溶接ナット２を溶接でき、また前記挿入溝１ｃは、前記切欠き部１ａの開口と同方向の側方に開口したものであるので、ワーク５の一方対向片５ａの対向面に溶接された溶接ナット２は側方から挿入溝１ｃに挿入されるので、ワーク５と溶接ナット２の下部電極３への保持が容易にできる。
【符号の説明】
【００２０】１    上部電極
１ａ  切欠き部
１ｂ  下部水平片
１ｃ  挿入溝
２    溶接ナット
３    下部電極
４    ガイドピン
５    ワーク
５ａ、５ｂ  対向片
【図１】
2019181555.tif 000003
【図２】
2019181555.tif 000004
【図３】
2019181555.tif 000005
【図４】
2019181555.tif 000006
【図５】
2019181555.tif 000007
【図６】
2019181555.tif 000008